(57)【特許請求の範囲】
【請求項１】
流体が出入することにより膨縮する空気袋と、前記空気袋を内包するカバーとを有し、生体に巻き付けられる生体圧迫装置において、
前記カバーは、外面カバーと内面カバーで構成され、
前記空気袋の長手方向の両端部を、それぞれ連結部材を介して外面カバーに連結する際、前記連結部材の一端を前記空気袋の内面側シートに固定し、他端を前記外面カバーに固定していることを特徴とする生体圧迫装置。
【請求項２】
前記連結部材と前記外面カバーとを固定する固定位置どうしの間における、前記外面カバーの曲線距離Ｌ１が、前記連結部材と前記外面カバーとを固定する固定位置どうしの間における、前記空気袋の直線距離Ｌより、長いことを特徴とする請求項１に記載の生体圧迫装置。
【請求項３】
前記生体圧迫装置が前記生体に巻き付けられた際、前記外面カバーの曲率半径が、前記空気袋の曲率半径より長いことを特徴とする請求項１又は２に記載の生体圧迫装置。
【発明の詳細な説明】
【技術分野】
【０００１】
本発明は、腕を圧迫する際、空気袋の屈曲部によって、皮膚がつねられるように挟まれるといった不具合を防止した生体圧迫装置、及び、この生体圧迫装置を用いた血圧測定装置に関する。
【背景技術】
【０００２】
近年、血圧計は、病院等に限らず、健康管理を目的として、一般家庭にも広く普及してきた。これら一般家庭用の血圧計は、通常、操作が簡単な自動血圧計である。
自動血圧計は、様々な測定方式や構成のものが開発されているが、その一つに、オシロメトリック式電子血圧計がある。このオシロメトリック式電子血圧計は、空気袋の内圧に重畳した脈波を検出し、この脈波の振幅変化にもとづいて血圧を算出する。このオシロメトリック式電子血圧計は、上腕に巻き付けられ空気袋を有する生体圧迫装置（一般的に、カフとも呼称される。）と、配管を介して空気袋と連通した、圧力センサ、ポンプ及び排気弁と、圧力センサ、ポンプ及び排気弁と接続された情報処理装置と、情報処理装置と接続された操作スイッチ及び表示器などとからなっている。
【０００３】
また、上記自動血圧計には、様々な構成の生体圧迫装置が用いられている。
次に、従来の生体圧迫装置について図面を参照して説明する。
【０００４】
（従来例）
図８は、従来例に係る生体圧迫装置の概略図であり、（ａ）は表面側展開図を示しており、（ｂ）は裏面側展開図を示している。
また、図９は、従来例に係る生体圧迫装置の構成及び動作を説明するための概略図であり、（ａ）は平らな状態で空気を送入する前の要部の断面図を示しており、（ｂ）は腕に巻き付けた状態で空気を送入したときの要部の断面図を示している。
図８、９において、生体圧迫装置１００は、空気袋１２０を外面カバー１１と内面カバー１２とで挟んで形成される帯状体１１０と、この帯状体１１０の長手方向の一端部に取り付けられた環状の留め金具１３と、この留め金具１３に挿入され、該留め金具１３を介して折り返された帯状体１１０の他端部を固定する面ファスナー３とを備えている。
【０００５】
また、生体圧迫装置は、血圧測定の精度を向上させることなどを目的として、様々な技術的改良が施されてきた。
【０００６】
例えば、特許文献１には、指などの生体部位に当接する内側の周囲が、外側の周囲より短い構造とした血圧計の圧迫帯の技術が開示されている。この技術は、生体部位を均一に圧迫することにより、正確な血圧測定を行うことを目的としている。
また、特許文献２には、空気袋を巻き付け方向に沿って、湾曲する円柱面形状に成形した血圧測定用カフの技術が開示されている。この技術は、空気袋の圧力が正確に被測定部位に伝達され、精度よく血圧を測定することを目的としている。
【０００７】
さらに、特許文献３には、外袋、内袋（空気袋）、薄平板状の芯材、巻付布、短尺の継布及び掛止リングを有する血圧計腕帯の技術が開示されている。この技術は、腕の太さに影響されることなく、精度よく血圧を測定することを目的としている。
また、特許文献４には、流体袋（空気袋）と、可撓性部材と、袋状カバー体とを備え、流体袋が収縮した状態において、可撓性部材の曲率の大きい部位に対応する部分の内側壁部が、幅方向において引っ張られた状態とされている血圧計用カフの技術が開示されている。この技術は、袋状カバー体にしわが発生し難い血圧計用カフを実現することにより、高精度に血圧値を測定することを目的としている。
【特許文献１】実開昭６３−１１７５０２号公報
【特許文献２】実開平２−１１８５０４号公報
【特許文献３】実開平３−３３０２号公報
【特許文献４】特開２００７−１７５１８５号公報
【発明の開示】
【発明が解決しようとする課題】
【０００８】
しかしながら、上述した生体圧迫装置１００は、空気袋１２０が、外面カバー１１と内面カバー１２の間に挟まれ、さらに、外面カバー１１を突き抜けたジョイント２５によって、おおよその位置決めがなされている。すなわち、空気袋１２０は、長手方向にも腕方向にも固定されていない状態で配置されている。また、生体圧迫装置１００を腕に巻き付ける際、外面カバー１１の曲率半径より内面側シート１２２の曲率半径が小さくなることによって、さらには、該空気袋１２０が移動したりすることなどによって、空気袋１２０の内面側シート１２２に複数のしわ（図示せず）が発生する。そして、この状態から空気袋１２０に空気を送入し加圧すると、上記の複数のしわのうちの一部が、たとえば、図９（ｂ）に示すように、さらに成長し屈曲部１３０となることもある。このため、腕を圧迫する際、空気袋１２０の屈曲部１３０によって、皮膚がつねられるように挟まれる場合があり、挟まれる状況などによっては、みみず腫れを起こしたり痛みを感じたりするといった問題があった。
【０００９】
また、上記特許文献１、２の技術は、生体部位をほぼ均一に圧迫することにより、正確な血圧測定を行うことを目的としているものの、上記問題を解決することはできない。すなわち、正確な血圧測定を行うことが可能な程度に、生体部位をほぼ均一に圧迫したとしても、皮膚がつねられるように挟まれる場合があり、挟まれる状況などによっては、みみず腫れを起こしたり痛みを感じたりするといった問題があった。
さらに、上記特許文献３、４の技術は、腕の太さによる影響やカバーへのしわの発生を抑えることで、高精度に血圧測定を行うことを目的としているもので、上記問題を解決することはできない。
【００１０】
本発明は、以上のような従来の技術が有する問題を解決するために提案されたものであり、生体を圧迫する際、空気袋の屈曲部によって、皮膚がつねられるように挟まれるといった不具合を防止することができる生体圧迫装置、及び、その生体圧迫装置を用いた血圧測定装置の提供を目的とする。
【課題を解決するための手段】
【００１１】
上記目的を達成するため、本発明の生体圧迫装置は、流体が出入することにより膨縮する空気袋と、前記空気袋を内包するカバーとを有し、生体に巻き付けられる生体圧迫装置において、前記生体圧迫装置が前記生体に巻き付けられたとき、生体側に位置する前記空気袋の内面側シートが、前記生体に巻き付けられる方向に張力を有するように、前記空気袋が前記カバーに固定されている。
このようにすると、生体圧迫装置が生体に巻き付けられたとき、空気袋の内面側シートにおけるしわの発生を効果的に抑制することができる。すなわち、しわの発生がほぼ抑制されることにより、しわが屈曲部に成長する可能性も大幅に低減されるので、皮膚がつねられるように挟まれるといった不具合を効果的に抑制することができる。
また、空気袋はカバーに固定されており、空気袋に空気が送入される際、空気袋が巻き付けられたときの形状とほぼ同じ形状に維持され、移動が制限される。したがって、空気袋の移動に起因するしわの発生が抑制される。さらに、空気袋が移動することによって、しわが容易に大きな屈曲部に成長するといった不具合を防止することができる。したがって、皮膚がつねられるように挟まれるといった不具合を抑制することができる。
【００１２】
ここで、前記空気袋は、前記内面側シートに設けられた連結部材を介して、前記カバーに固定されているので、空気袋を固定する際の自由度（たとえば、固定位置や固定方法などの自由度）を高めることができる。
【００１３】
また、好ましくは、前記連結部材は、前記生体に巻き付けられる方向の、少なくとも一方の前記内面側シートの端部に、設けられているとよい。
このようにすると、内面側シートに、生体に巻き付けられる方向への所定の張力を、容易に付与することができる。
【００１４】
また、好ましくは、前記連結部材は、前記内面側シートの、前記流体が出入する領域内に、固着されているとよい。
このようにすると、空気袋に空気が送入される際、空気袋の内面側シートと外面側シートとの曲率半径の違いによって、空気袋に屈曲部が発生することを効果的に抑制することができる。
【００１５】
なお、前記内面側シートが、前記流体が出入する領域よりも外側に延長されており、この延長された部分が、前記カバーに固定されるようにすることも可能である。
このようにすると、空気袋を固定する際の自由度（たとえば、固定位置や固定方法などの自由度）を高めることができる。また、部品点数を削減でき、かつ、容易に製造することができるので、製造原価のコストダウンを図ることができる。
【００１６】
上記目的を達成するため、本発明の血圧測定装置は、上記請求項１〜５のいずれか一項に記載の前記生体圧迫装置を用いた構成としてある。
このように、本発明は血圧測定装置としても有効であり、生体を圧迫する際、空気袋の屈曲部によって、皮膚がつねられるように挟まれるといった不具合を防止することの可能な血圧測定装置を提供することができる。
【発明の効果】
【００１７】
本発明の生体圧迫装置及び血圧測定装置によれば、生体を圧迫する際、空気袋の屈曲部によって、皮膚がつねられるように挟まれるといった不具合を防止することができる。
【発明を実施するための最良の形態】
【００１８】
［生体圧迫装置の第一実施形態］
以下、本発明の生体圧迫装置の第一実施形態について、図面を参照して説明する。
図１は、本発明の第一実施形態に係る生体圧迫装置の概略図であり、（ａ）は表面側展開図を示しており、（ｂ）は裏面側展開図を示している。
図１において、生体圧迫装置１は、自動血圧計用腕帯（カフ）として用いられており、使用者の上腕に巻き付けられる。
この生体圧迫装置１は、空気袋２を内蔵した帯状体１０と、留め金具１３と、面ファスナー３とを備えている。
【００１９】
（空気袋）
図２は、本発明の第一実施形態に係る生体圧迫装置の、空気袋を説明するための概略図であり、（ａ）は平らな状態で空気を送入したときの断面図を示しており、（ｂ）は腕に巻き付けた状態で空気を送入したときの断面図を示している。
なお、図２（ａ）は、空気袋２の構造を理解しやすいように、平らな状態で空気を送入したときの断面図を示している。
図２において、空気袋２は、ほぼ矩形状に形成された、樹脂製の平らな一対の外面側シート２１及び内面側シート２２を、平らな状態のまま重ね合わせ、これらの縁部（溶着部２５０）を溶着した構成としてある。ここで、外面側シート２１及び内面側シート２２は、通常、フィルム状のシート部材から打ち抜き加工によって容易に形成される。また、このシート部材は、弾性あるいは伸縮性を有している。
なお、本実施形態では、一対の外面側シート２１及び内面側シート２２を使用する構成としてあるが、これに限定されるものではない。たとえば、図示してないが、平らな一枚のほぼ矩形状のシートを折り重ね、折り重ねられた三辺の縁部を溶着する構成としてもよい。
【００２０】
さらに、空気袋２は、内面側シート２２の長手方向の両端部の中央側に、細長い連結部材２３及び連結部材２４の一端が固着されている。この連結部材２３及び連結部材２４は、後述するように、他端が外面カバー１１に固定される。このように、空気袋２の長手方向の両端部を、連結部材２３、２４を介して、外面カバー１１に固定することにより、空気袋２を固定する際の自由度（たとえば、固定位置や固定方法などの自由度）を高めることができる。また、内面側シート２２に、生体に巻き付けられる方向への所定の張力を、容易に付与することができる。
ここで、上記の内面側シート２２の長手方向は、内面側シート２２が生体に巻き付けられる方向とほぼ同じである。
また、上記の内面側シート２２の長手方向の両端部の中央側とは、外面側シート２１と内面側シート２２との溶着部２５０より内側とほぼ同じであり、内面側シート２２における、流体が出入する領域（溶着部２５０より内側の領域）を意味している。
【００２１】
また、連結部材２３及び連結部材２４は、弾性（伸縮性をも含む。）を有するシート状の樹脂製又はゴム製の部材からなっている。このようにすると、連結部材２３，２４の弾性を利用して、腕の太さが異なる場合であっても、腕を圧迫しすぎない状態で、生体圧迫装置１を巻き付けることができる。
【００２２】
上記構成の空気袋２は、図２（ｂ）に示すように、腕（図示せず）に巻き付けた状態で空気を送入したとき、外面側シート２１の曲率半径はＲとなり、内面側シート２２の曲率半径はｒとなる。ここで、接合部２３１より一端部側の内面側シート２２、及び、接合部２４１より他端部側の内面側シート２２が、外面側シート２１として機能し、曲率半径の違い（Ｒ>ｒ）を吸収するので、空気袋２の内面側シート２２に、曲率半径の違いに起因する屈曲部が発生することを効果的に抑制することができる。
なお、空気を送入したときの空気袋２の両端部の形状は、図２（ｂ）に示す形状に限定されるものではなく、曲率半径Ｒ、ｒなどによって様々な形状となる。
【００２３】
(帯状体)
帯状体１０は、図１に示すように、空気袋２を外面カバー１１と内面カバー１２で挟んだ構成としてある。
外面カバー１１と内面カバー１２は、通常、樹脂製のほぼ矩形状の布が用いられる。内面カバー１２は、皮膚に触れた際、触り心地が良いように、薄く、軟らかく、かつ、伸縮性を有する布からなっており、外面カバー１１は、内面カバー１２と比べて、厚く、丈夫で、かつ、伸縮性を有しない布からなっている。
外面カバー１１と内面カバー１２は、空気袋２を挟んだ状態で、周縁部が、縁部カバーを介して糸によって縫合されている。また、長手方向のほぼ中央部では、腕方向に沿って、糸１０３によって縫合されている。
また、外面カバー１１及び内面カバー１２は、腕形状に対応しやすいように、糸１０３の他端部側の幅寸法が、一端部側より短くなっている。
【００２４】
連結部材２３は、図１に示すように、一端が、接合部２３１によって内面側シート２２に接着されており、他端が、糸１０１によって外面カバー１１に縫合されている。また、連結部材２４は、一端が、接合部２４１によって内面側シート２２に接着されており、他端が、糸１０２によって外面カバー１１に縫合されている。
このように、空気袋２の両端部（端部は、先端部及び端部付近を含む。）は、連結部材２３及び連結部材２４を介して、外面カバー１１に固定されているので、空気袋２に空気が送入される際、空気袋２が巻き付けられたときの形状とほぼ同じ形状に維持され、移動が制限される。これにより、両端が固定されていない場合と比べると、空気袋２の移動に起因するしわの発生が抑制される。また、空気袋２が移動することによって、しわが容易に大きな屈曲部に成長するといった不具合を防止することができる。
【００２５】
ここで、好ましくは、空気袋２の長手方向の両端部（本実施形態では、連結部材２３、２４の他端）を、生体圧迫装置１が腕に巻き付けられた際、空気袋２の曲率半径が、外面カバー１１の曲率半径より小さくなる位置に、固定するとよい。
さらに好ましくは、空気袋２の長手方向の両端部（本実施形態では、連結部材２３、２４の他端）を、空気袋２の内面側シート２２が所定のテンションのかけられた状態で腕に巻き付けられる位置に、固定するとよい。
次に、これらの内容について、図面を参照して説明する。
【００２６】
図３は、本発明の第一実施形態に係る生体圧迫装置の構成及び動作を説明するための概略図であり、（ａ）は平らな状態で空気を送入する前の要部の断面図を示しており、（ｂ）は腕に巻き付けた状態で空気を送入したときの要部の断面図を示している。
図３（ａ）において、空気袋２における糸１０１と糸１０２との間の直線距離はＬである。また、外面カバー１１における糸１０１と糸１０２との間の曲線距離はＬ１である。曲線距離Ｌ１は、弛んだ外面カバー１１を直線状としたときの距離であり、Ｌ１>Ｌである。すなわち、外面カバー１１の長手方向の長さが、空気袋２の長手方向の長さに対して余裕（弛み）を持つように、空気袋２は外面カバー１１に固定されている。
【００２７】
ここで、図示してないが、Ｌ１＝Ｌとした空気袋を腕（たとえば、直径Ｌ１／πの円柱状の腕）に巻き付けると仮定すると、この空気袋は、外面カバー１１の内側に位置する内面側シート２２に、しわが発生した状態で巻き付けられる。
【００２８】
また、Ｌ１＝Ｌ＋２πｔ（ｔは、ほぼ空気袋２と外面カバー１１の厚さの和）とした空気袋（仮想の空気袋）を腕（たとえば、直径Ｌ１／πの円柱状の腕）に巻き付けると仮定すると、この空気袋は、外面カバー１１の内側に位置する内面側シート２２に、テンションがかからない状態で、かつ、しわがほぼ発生しない状態で腕に巻き付けられる。このように、しわがほぼ発生しない状態で腕に巻き付けられることにより、しわが屈曲部に成長する可能性も低減される。
なお、この生体圧迫装置は、生体圧迫装置が腕に巻き付けられた際、空気袋２の長手方向の両端部が、空気袋２の曲率半径（Ｌ／（２π））が外面カバー１１の曲率半径（Ｌ１／（２π））より小さくなる位置に固定されており、内面側シート２２が弛まない状態である。
【００２９】
本実施形態では、Ｌ１＝Ｌ＋２πｔ＋ΔＬ（ΔＬは、内面側シート２２に所定の伸びしろを付与するための距離）としてある。これにより、生体圧迫装置１を腕（たとえば、直径Ｌ１／πの円柱状の腕）に巻き付けると、外面カバー１１の内側に位置する内面側シート２２は、ΔＬに対応する距離だけ引っ張られることによって伸びた状態で、すなわち、テンションがかけられた状態で、腕に巻き付けられる。ここで、内面側シート２２は、距離ΔＬに対応するテンションがかけられているので、しわが発生しない状態で腕に巻き付けられる。さらに、空気袋２に空気が送入され、内面側シート２２が腕を圧迫する方向（腕の中心方向）に移動しても、巻き付けられた段階で、あらかじめ所定のテンションがかけられているので、しわが発生するのを有効に抑制することができる。すなわち、しわが確実に発生しない状態で腕に巻き付けられることにより、しわが屈曲部に成長する可能性も大幅に低減される。
【００３０】
また、空気袋２は、外側の面に、上述したオシロメトリック式電子血圧計の配管と連結するためのジョイント２５が突出してある。このジョイント２５は、外面カバー１１及びループ面３２を貫通して外側に露出している。
なお、空気袋２の固定手段は、縫合に限定されるものではなく、たとえば、両面テープなどを用いてもよい。
【００３１】
(留め金具)
留め金具１３は、丸鋼からなる環状体であり、帯状体１０の他端部が挿入される。この留め金具１３は、帯状体１０の長手方向の一端部に取り付けられている。
この留め金具１３は、帯状体１０の下辺（肩側の辺）から約８０°の角度で斜めに取り付けられている。これにより、筋肉質の上腕に対してもほぼ密着した状態で巻き付けることができる。
【００３２】
（面ファスナー）
本実施形態では、留め金具１３に挿入され、この留め金具１３を介して折り返された帯状体１０の他端部を固定する固定手段として、面ファスナー３を設けてある。
面ファスナー３は、フック面３１とループ面３２とからなっている。フック面３１は、ほぼ正方形状としてあり、外面カバー１１の他端部側の表面に、糸によって縫合されている。また、ループ面３２は、ほぼ矩形状としてあり、フック面３１から一端部付近までにわたって、外面カバー１１の表面に、糸によって縫合されている。
このようにすると、容易に着脱することができ、例えば、左上腕に装着する場合、他端部を右手で撮んで、容易に着脱することができる。
なお、本実施形態では、固定手段として面ファスナー３を用いているが、これに限定されるものではない。
【００３３】
次に、上記構成の生体圧迫装置１の動作について説明する。
まず、血圧を測定しようとする使用者は、帯状体１０の他端部が留め金具１３に通され、広がった状態の生体圧迫装置１に腕を挿入し、生体圧迫装置１が上腕に達したところで、他端部を引っ張る。これにより、帯状体１０が上腕に巻き付き、さらに、留め金具１３を介して折り返され、フック面２１がループ面２２に接合される。この際、生体圧迫装置１は、外面カバー１１が弛みすぎることなく、かつ、空気袋２が腕を圧迫しすぎない状態で、腕に巻き付けられる。
【００３４】
ここで、上述したように、曲線距離Ｌ１（＝Ｌ＋２πｔ＋ΔＬ）>直線距離Ｌとなっているので、外面カバー１１が上記のように腕に巻き付けられると、内面側シート２２は、伸縮性を有していない外面カバー１１によって、距離ΔＬに対応する距離だけ引っ張られ、伸びた状態で腕に巻き付けられる。すなわち、内面側シート２２は、所定のテンションがかけられている状態で、腕に巻き付けられるので、しわが発生することを有効に抑制することができる。また、連結部材２３、２４の弾性によって、空気袋２が腕を圧迫しすぎるといった不具合を回避することができる。
【００３５】
次に、送気球（図示せず）などの送気手段により、空気袋２に空気が送入される。この送気により、図３（ｂ）に示すように、空気袋２が膨らみ、外面カバー１１が張られ、続いて、腕を圧迫する。このとき、内面側シート２２は、上述したように、所定のテンションがかけられ、しわが発生していない状態をほぼ維持しながら腕を圧迫するので、しわが屈曲部に成長する可能性も大幅に低減される。したがって、屈曲部によって、皮膚がつねられるように挟まれるといった不具合を効果的に抑制することができる。
また、空気袋２が膨れる際、上述したように、接合部２３１より一端部側の内面側シート２２、及び、接合部２４１より他端部側の内面側シート２２が、外面側シート２１として機能し、外面側シート２１と内面側シート２２の曲率半径の違いを吸収するので、空気袋２の内面側シート２２に屈曲部が発生することを効果的に抑制することができる。
【００３６】
以上説明したように、本実施形態の生体圧迫装置１は、腕を圧迫する際、空気袋２の内面側シート２２に屈曲部を発生させないことによって、皮膚がつねられるように挟まれるといった不具合を効果的に抑制することができる。
さらに、空気袋２は、平らな二枚のシート材を溶着することにより製造することができるので、製造原価のコストダウンを図ることができる。
【００３７】
［生体圧迫装置の第二実施形態］
図４は、本発明の第二実施形態に係る生体圧迫装置の構成及び動作を説明するための概略図であり、（ａ）は平らな状態で空気を送入する前の要部の断面図を示しており、（ｂ）は腕に巻き付けた状態で空気を送入したときの要部の断面図を示している。
図４において、本実施形態の生体圧迫装置１ａは、第一実施形態の生体圧迫装置１と比べると、連結部材２４を設けず、空気袋２ａの長手方向の一方の端部を直接的に外面カバー１１に固定している点が相違する。生体圧迫装置１ａの他の構成は、生体圧迫装置１とほぼ同様としてある。
したがって、図４において、図３と同様の構成部分については同一の符号を付して、その詳細な説明を省略する。
【００３８】
空気袋２ａは、上記実施形態の空気袋２と比べると、連結部材２４が設けられていない点が相違する。空気袋２ａの他の構成は、空気袋２とほぼ同様としてある。
また、空気袋２ａは、連結部材２３、及び、連結部材２４が設けられていない、長手方向の一方の端部が、糸１０１、１０２によって外面カバー１１に縫合されている。
このように、空気袋２ａの連結部材２３、及び、連結部材２４が設けられていない、長手方向の一方の端部は、外面カバー１１に固定されているので、空気袋２ａに空気が送入される際、空気袋２ａが巻き付けられたときの形状とほぼ同じ形状に維持され、移動が制限される。これにより、両端が固定されていないことによる空気袋２ａの移動に起因するしわの発生が抑制され、また、空気袋２ａが移動することによって、しわが容易に大きな屈曲部に成長するといった不具合を防止することができる。
【００３９】
さらに、空気袋２ａは、Ｌ１＝Ｌ＋２πｔ＋ΔＬ（Ｌは、空気袋２ａにおける糸１０１と糸１０２との間の直線距離である。また、Ｌ１は、外面カバー１１における糸１０１と糸１０２との間の曲線距離である。）としてある。これにより、生体圧迫装置１ａを腕（たとえば、直径Ｌ１／πの円柱状の腕）に巻き付けると、曲線距離Ｌ１（＝Ｌ＋２πｔ＋ΔＬ）>直線距離Ｌとなっているので、内面側シート２２は、伸縮性を有していない外面カバー１１によって、ほぼ距離ΔＬに対応する距離だけ引っ張られ、伸びた状態で腕に巻き付けられる。すなわち、内面側シート２２は、所定のテンションがかけられている状態で、腕に巻き付けられるので、しわが発生することを有効に抑制することができる。
また、空気袋２ａに空気が送入され、内面側シート２２が腕を圧迫する方向（腕の中心方向）に移動しても、巻き付けられた段階で、あらかじめ所定のテンションがかけられているので、しわが発生するのを有効に抑制することができる。すなわち、しわが確実に発生しない状態で腕に巻き付けられることにより、しわが屈曲部に成長する可能性も大幅に低減される。
【００４０】
以上説明したように、本実施形態の生体圧迫装置１ａは、腕を圧迫する際、空気袋２ａの内面側シート２２に屈曲部を発生させないことによって、皮膚がつねられるように挟まれるといった不具合を効果的に抑制することができる。
さらに、空気袋２ａは、空気袋２と比べると、部品点数が少ないので、さらに製造原価のコストダウンを図ることができる。
【００４１】
［生体圧迫装置の第三実施形態］
図５は、本発明の第三実施形態に係る生体圧迫装置の、空気袋を説明するための概略図であり、（ａ）は平らな状態で空気を送入したときの断面図を示しており、（ｂ）は腕に巻き付けた状態で空気を送入したときの断面図を示している。
図５において、本実施形態の生体圧迫装置１ｂの空気袋２ｂは、第一実施形態の空気袋２と比べると、外面側シート２１の代わりに、長手方向に長くした外面側シート２１ｂを用いている点、及び、連結部材２３、２４を設ける代わりに、長手方向に延長された内面側シート２２ｂを用いている点が相違する。空気袋２ｂの他の構成は、空気袋２とほぼ同様としてある。
したがって、図５において、図２と同様の構成部分については同一の符号を付して、その詳細な説明を省略する。
【００４２】
空気袋２ｂは、外面側シート２１ｂの長手方向の長さが、内面側シート２２ｂの長手方向の溶着部２５０どうしの間の長さより長い。すなわち、外面側シート２１ｂは、所定の形状に裁断され、続いて、空気袋２ｂが腕に巻き付けられ、空気袋２ｂに空気が送入されたときの形状に成形され、その後、内面側シート２２ｂと溶着される。
したがって、図５（ｂ）に示すように、腕（図示せず）に巻き付けた状態で空気を送入したとき、外面側シート２１ｂの曲率半径はＲとなり、内面側シート２２ｂの曲率半径はｒとなる。このようにすると、空気袋２ｂに空気が送入される際、空気袋２ｂの内面側シート２２ｂと外面側シート２１ｂとの曲率半径の違い（Ｒ>ｒ）によって、空気袋２ｂに屈曲部が発生することを効果的に抑制することができる。
【００４３】
また、空気袋２ｂは、連結部材２３、２４を設ける代わりに、長手方向に延長された内面側シート２２ｂを用いている。また、内面側シート２２ｂは、長手方向の両端より中央側の位置（溶着部２５０の位置）において、外面側シート２１ｂと溶着されている。
内面側シート２２ｂの溶着部２５０より外側の部分は、弾性（伸縮性をも含む。）を有するシート状の樹脂製の部材からなっている。このようにすると、溶着部２５０より外側の部分の弾性を利用して、腕の太さが異なる場合であっても、腕を圧迫しすぎない状態で、生体圧迫装置１ｂを巻き付けることができる。
また、本実施形態では、連結部材２３、２４を用いていないので、部品点数や作業工数が削減でき、製造原価のコストダウンを図ることができる。なお、この構成に限定されるものではない。たとえば、図示してないが、溶着部２５０より外側の部分の代わりに、連結部材２３、２４を溶着した形状の内面側シートを用いてもよい。
【００４４】
図６は、本発明の第三実施形態に係る生体圧迫装置の構成及び動作を説明するための概略図であり、（ａ）は平らな状態で空気を送入する前の要部の断面図を示しており、（ｂ）は腕に巻き付けた状態で空気を送入したときの要部の断面図を示している。
図６において、本実施形態の生体圧迫装置１ｂは、第一実施形態の生体圧迫装置１と比べると、外面側シート２１の代わりに、上記外面側シート２１ｂを用いている点、及び、連結部材２３、２４を設ける代わりに、長手方向に延長された内面側シート２２ｂを用いている点が相違する。生体圧迫装置１ｂの他の構成は、生体圧迫装置１とほぼ同様としてある。
したがって、図６において、図３と同様の構成部分については同一の符号を付して、その詳細な説明を省略する。
【００４５】
この空気袋２ｂは、第一実施形態とほど同様に、Ｌ１＝Ｌ＋２πｔ＋ΔＬとしてある。これにより、生体圧迫装置１ｂを腕（たとえば、直径Ｌ１／πの円柱状の腕）に巻き付けると、曲線距離Ｌ１（＝Ｌ＋２πｔ＋ΔＬ）>直線距離Ｌとなっているので、内面側シート２２ｂは、伸縮性を有していない外面カバー１１によって、距離ΔＬに対応する距離だけ引っ張られ、伸びた状態で腕に巻き付けられる。すなわち、内面側シート２２ｂは、所定のテンションがかけられている状態で、腕に巻き付けられるので、しわが発生することを有効に抑制することができる。すなわち、しわが発生しない状態で腕に巻き付けられることにより、しわが屈曲部に成長する可能性も大幅に低減される。
また、空気袋２ｂが膨れる際、上述したように、外面側シート２１ｂの曲率半径はＲとなり、内面側シート２２ｂの曲率半径はｒとなる。すなわち、空気袋２ｂの内面側シート２２ｂと外面側シート２１ｂとの曲率半径の違い（Ｒ>ｒ）によって、空気袋２ｂに屈曲部が発生することを効果的に抑制することができる。
【００４６】
以上説明したように、本実施形態の生体圧迫装置１ｂは、腕を圧迫する際、空気袋２ｂの内面側シート２２ｂに屈曲部を発生させないことによって、皮膚がつねられるように挟まれるといった不具合を効果的に抑制することができる。
【００４７】
［血圧測定装置の一実施形態］
本発明は、血圧測定装置（適宜、血圧計と略称する。）の発明としても有効である。
図７は、本発明の一実施形態に係るオシロメトリック式電子血圧計の要部の概略ブロック図を示している。
図７において、オシロメトリック式電子血圧計４は、空気袋２を内蔵した生体圧迫装置１と、配管４１を介して空気袋２と連通した、圧力センサ４２、ポンプ４３及び排気弁４４と、圧力センサ４２、ポンプ４３及び排気弁４４と接続された情報処理装置４５と、情報処理装置４５と接続された操作スイッチ４６及び表示器４７とからなっている。
ここで、本実施形態のオシロメトリック式電子血圧計４は、上述した実施形態の生体圧迫装置１を備えた構成としてある。
【００４８】
このようにすると、本実施形態のオシロメトリック式電子血圧計４は、上述したように、腕を圧迫する際、空気袋２の内面側シート２２に屈曲部を発生させないことによって、皮膚がつねられるように挟まれるといった不具合を効果的に抑制することができる。
なお、本実施形態では、生体圧迫装置１を用いる構成としてあるが、これに限定されるものではなく、たとえば、第二、第三実施形態生体の圧迫装置１ａ、１ｂを用い構成としてもよい。
【００４９】
以上、本発明の生体圧迫装置及び血圧測定装置について、好ましい実施形態を示して説明したが、本発明に係る生体圧迫装置及び血圧測定装置は、上述した実施形態にのみ限定されるものではなく、本発明の範囲で種々の変更実施が可能であることは言うまでもない。
例えば、生体圧迫装置１、１ａ、１ｂは、芯材や可撓性部材を備えない構成としてあるが、この構成に限定されるものではなく、たとえば、空気袋と外面カバーとの間に、芯材や可撓性部材を備えてもよい。
また、生体圧迫装置１、１ａ、１ｂは、オシロメトリック式電子血圧計に用いられる場合に限定されるものではなく、たとえば、コロトコフ音にもとづいて血圧を測定する自動血圧計にも適用することができる。
さらに、空気袋２、２ａ、２ｂは、外面カバー１１に固定される構成に限定されるものではなく、たとえば、内面カバー１２に固定される構成、あるいは、外面カバー１１及び内面カバー１２に固定される構成としてもよい。
【産業上の利用可能性】
【００５０】
以上説明したように、本発明の生体圧迫装置は、血圧計用腕帯に用いられる場合に限定されるものではなく、たとえば、加圧中の脈波を精度よく測定する必要のある、止血用の生体圧迫装置などとしても有効に適用することができる。
【図面の簡単な説明】
【００５１】
【図１】図１は、本発明の第一実施形態に係る生体圧迫装置の概略図であり、（ａ）は表面側展開図を示しており、（ｂ）は裏面側展開図を示している。
【図２】図２は、本発明の第一実施形態に係る生体圧迫装置の、空気袋を説明するための概略図であり、（ａ）は平らな状態で空気を送入したときの断面図を示しており、（ｂ）は腕に巻き付けた状態で空気を送入したときの断面図を示している。
【図３】図３は、本発明の第一実施形態に係る生体圧迫装置の構成及び動作を説明するための概略図であり、（ａ）は平らな状態で空気を送入する前の要部の断面図を示しており、（ｂ）は腕に巻き付けた状態で空気を送入したときの要部の断面図を示している。
【図４】図４は、本発明の第二実施形態に係る生体圧迫装置の構成及び動作を説明するための概略図であり、（ａ）は平らな状態で空気を送入する前の要部の断面図を示しており、（ｂ）は腕に巻き付けた状態で空気を送入したときの要部の断面図を示している。
【図５】図５は、本発明の第三実施形態に係る生体圧迫装置の、空気袋を説明するための概略図であり、（ａ）は平らな状態で空気を送入したときの断面図を示しており、（ｂ）は腕に巻き付けた状態で空気を送入したときの断面図を示している。
【図６】図６は、本発明の第三実施形態に係る生体圧迫装置の構成及び動作を説明するための概略図であり、（ａ）は平らな状態で空気を送入する前の要部の断面図を示しており、（ｂ）は腕に巻き付けた状態で空気を送入したときの要部の断面図を示している。
【図７】図７は、本発明の一実施形態に係るオシロメトリック式電子血圧計の要部の概略ブロック図を示している。
【図８】図８は、従来例に係る生体圧迫装置の概略図であり、（ａ）は表面側展開図を示しており、（ｂ）は裏面側展開図を示している。
【図９】図９は、従来例に係る生体圧迫装置の構成及び動作を説明するための概略図であり、（ａ）は平らな状態で空気を送入する前の要部の断面図を示しており、（ｂ）は腕に巻き付けた状態で空気を送入したときの要部の断面図を示している。
【符号の説明】
【００５２】
１、１ａ、１ｂ  生体圧迫装置
２、２ａ、２ｂ  空気袋
３  面ファスナー
４  オシロメトリック式電子血圧計
１０  帯状体
１１  外面カバー
１２  内面カバー
１３  留め金具
２１、２１ｂ  外面側シート
２２、２２ｂ  内面側シート
２３  連結部材
２４  連結部材
２５  ジョイント
３１  フック面
３２  ループ面
４１  配管
４２  圧力センサ
４３  ポンプ
４４  排気弁
４５  情報処理装置
４６  操作スイッチ
４７  表示器
１００  生体圧迫装置
１０１、１０２、１０３  糸
１１０  帯状体
１２０  空気袋
１２１  外面側シート
１２２  内面側シート
１３０  屈曲部
２３１  接合部
２４１  接合部
２５０  溶着部
【図１】
0005189895.tif 000002
【図２】
0005189895.tif 000003
【図３】
0005189895.tif 000004
【図４】
0005189895.tif 000005
【図５】
0005189895.tif 000006
【図６】
0005189895.tif 000007
【図７】
0005189895.tif 000008
【図８】
0005189895.tif 000009
【図９】
0005189895.tif 000010